(57)【要約】【課題】    従来の帯は、胴体に一本の帯を二重に巻き付け、リボンもその状態から作っていた為、帯の着付けをするには、かなりの熟練を要し、時間も随分と掛かっていた。【解決手段】    本発明は、胴体に巻き付ける帯と、リボンの部分に分け、リボンを固定する為の紐を縫い付ける。なお、その紐を真結びすることにより、紐の方向が変わり、リボンを斜めに結ぶことが可能となり、色々なバリエーションを楽しむことができる。また、ウエストもしくは、アンダーバストで強さ及び長さを、調節する為の紐を縫い付ける。そして、垂れに面ファスナーを縫い付け、紐結びと少量の面ファスナーのみで帯を巻くことが出来る為、容易に、且つ、素早く着物を着ることが可能となり、従来の課題を解決した。【選択図】    図７
2005213715.tif 000002
【特許請求の範囲】
【請求項１】
着物の帯において紐で、容易にリボン部分を固定することを特徴とする帯。
【請求項２】
「請求項１」を含み、帯の巻きの部分に紐を付け、強さや長さを調節することを特徴とする帯。
【請求項３】
「請求項１」「請求項２」を含み、垂れの部分に、面ファスナーを付け、簡易に着付けられることを特徴とする帯。
【発明の詳細な説明】
【発明の詳細な説明】
【技術分野】
【０００１】    本発明は容易に、着脱することができる帯に関する。
【背景技術】
【０００２】    従来の帯は、一本の帯を胴体に二重に巻き付け、その状態から数本の紐を使用し、リボンを形作るのが、主流である。その為、帯の着付けには、かなりの熟練を要す。もしくは、他人の手助けが必要となり、初心者や子供、外国人には大変厄介である。【０００３】    また、帯の紐が一箇所でも、緩んでしまうと美しいリボンが形作ることが出来ず、しばらく着用していると、着崩れを起こしてしまう。着崩れを起こした際は、手直しをするのが大変困難である。【０００４】    尚、帯を着用している際の、食事や御手洗時には、帯を緩めることが出来ず、身動きがとても取りづらい。【０００５】    また、最近では、帯の胴体に巻き付ける部分に、大量の面ファスナーや、紐、釦、バックルなどを、使用し装着するといった帯あるが、どれにおいても多少の時間と手間が掛かってしまう。
【発明が解決しようとする課題】
【０００６】    着物は、世界最大の民族衣装と言われているが帯の着付けを一人で行なうには、かなりの熟練を要す。もしくは、他人の手助けが必要となっていた。その上、帯を着付けるのには、随分と時間が掛かっていた。
【０００７】    また、胴体に一本の帯を、二重に巻き付け、リボンもその状態から形作っていた為、一箇所でも緩むと全体的に着崩れを、起こしてしまうという問題点があった。
【０００８】    その他の簡易帯においては、大量の面ファスナーや紐、釦、バックルなどを、使用すると多少の時間が掛かり、手間が掛かるという問題点がある。
【０００９】    日本の民族衣装にも関わらず、帯の着付けが困難であり、面倒な為、日本人でさえも着物を着用しなくなっている現代では、容易に着付けることの出来る帯が求められている。
【課題を解決するための手段】
【００１０】    本発明の簡易帯においては、胴体に巻き付ける帯の巻きの部分と、リボンの部分に分け、帯の巻きの部分には、リボンを固定する為の紐と、ウエスト、もしくは、アンダーバストの位置で、強さ及び長さを調節する為の紐を縫い付ける。垂れの部分には、面ファスナーを縫い付ける。
【００１１】    このような簡易帯によれば、自分の好みの強さ及び長さ、リボンの形にすることが可能となり、着崩れを起こしにくくなる。
【発明の実地の形態】
【００１２】    図１において、紐の位置を示した図である。まず、「請求項１」で記載のリボンＧを固定する為の紐Ｂは、図１の帯の巻き部分Ａの表面において、左端の帯幅ｂの中程から、垂直に右側へ、帯幅ｂの半分の長さを取り、その位置に約６０ｃｍの紐Ｂの中央を、縦長方向に縫付ける。
【００１３】    また、図１の帯の長さａにおいて、１５ｃｍ以上の太さの帯は、アンダーバストのサイズを基準に、２０ｃｍのゆとりを加えた長さを取る。尚、１５ｃｍ未満の細い帯は、ウエストを基準に２０ｃｍのゆとりを加えた長さを取る。
【００１４】    「請求項２」で記載の、図１の帯の巻き部分Ａの上角１、上角２、下角３、下角４は、強さ及び長さを調節する為の紐の付け位置を、示している。帯幅ｂが１５ｃｍ以上の帯であれば、帯の巻き部分Ａの上角１、上角２の、二箇所と、下角３、下角４の二箇所の合計四箇所に、また、帯幅ｂが１５ｃｍ未満の帯であれば、帯の巻き部分Ａの上角１、上角２の二箇所の帯の巻き部分Ａの中面にそれぞれ、一本ずつ、長さ約５０ｃｍの調節紐Ｃを挟み込み、縫い付ける。
【００１５】    図２は、垂れの表面Ｄである。垂れの表面Ｄの上辺の中程から、１ｃｍ内側の位置に約７ｃｍの面ファスナーＥを縦長に縫い付ける。
【００１６】    図３は、図２の垂れの表面Ｄの裏、垂れの裏面Ｆを表している図である。垂れの裏面Ｆの下辺の中程に、約７ｃｍの面ファスナーＥを縦長に縫い付ける。
【００１７】    図４は、図３の垂れの裏面Ｆと帯の裏面の紐Ｂの付いている面の端との、角５を合わせ、中裏にし、下辺から１ｃｍ上側を、縫い合わせた図である。
【００１８】    図５は、リボンＧを表す図である。
【００１９】    図６は図５のリボンＧを、紐Ｂで固定した図である。リボンＧを予め好みの形に作っておき、紐ＢでリボンＧを固定する。その固定した部分が隠れるように、垂れをかぶせ、垂れの裏面Ｆの面ファスナーＥと、垂れの表面Ｄの面ファスナーＥとを、合わせる。
【００２０】    図６は、「請求項１」「請求項２」「請求項３」に記載の簡易帯においての装着完成図である。
【発明の効果】
【００２１】    着物は、世界最大の民族衣装と言われているが、帯の着付けを一人で行なうには、かなりの熟練を要し、もしくは、人の手助けが必要となり、その上、帯を着付けるには、随分と時間が掛かっていた。
【００２２】    また、従来の簡易帯では、大量の面ファスナーや紐、釦、バックルなどの付属品が多く付いていて、帯を着付けるのに手間が掛かり、多少の時間が掛かっていた。
【００２３】    そこで、本発明の簡易帯は、紐結びと少量の面ファスナーのみで、帯の装着が可能な為、着物を着る初心者や子供、外国人のような着物に馴染みのない方にも手間が掛からず、容易にかつ、素早く帯の着脱が出来るので、幅広い年齢層や、日本国ではもちろん、世界の国々から親しまれることと期待される。
【図面の簡単な説明】
【図１】帯の長さと紐の位置を示す図である。
【図２】垂れの表面図である。
【図３】垂れの裏面図である。
【図４】帯の巻き部分と垂れを合わせた図である。
【図５】リボンを表す図である。
【図６】リボンを固定する位置を示した図である。
【図７】簡易帯の装着完成図である。
【符号の説明】
Ａ  帯の巻き部分
Ｂ  紐
Ｃ  調節紐
Ｄ  垂れの表面
Ｅ  面ファスナー
Ｆ  垂れの裏面
Ｇ  リボン
【図１】
2005213715.tif 000003
【図２】
2005213715.tif 000004
【図３】
2005213715.tif 000005
【図４】
2005213715.tif 000006
【図５】
2005213715.tif 000007
【図６】
2005213715.tif 000008
【図７】
2005213715.tif 000009